(57)【要約】【課題】    複数種のタイプのメモ通知機能を提供でき、且つ自分でメモ言葉をレコーディングできるような新たな手段を提供する。【解決手段】  少なくとも中央処理装置３と、スイッチ・モジュール１と、レコーディング・モジュール２と、発声振動モジュール６と、表示モジュール５と、メモリ・モジュール４とを有するレコーディング・ペンとそのレコーティング・ペンのオペレーション設定方法を提供する。【選択図】  図１
2005331528.tif 000002
【特許請求の範囲】
【請求項１】
レコーディング・ペンを起動させてから、ユーザーがセレクト・アイテム・ボタンを押すことによってセレクト・アイテム・スイッチを設定するステップａと、
ユーザーがセレクト・アイテム・ボタンを押すことによってタイム・カウントした後にレコーディングまたは再生を実行する機能を選択し、または所定の時間の経過後にレコーディングまたは再生する機能を選択し、それからステップｄにスキップする、ステップｂと、
ユーザーがタイム設定ボタンを押すことによってタイム・カウンターを設定するステップｃと、
ユーザーがタイム設定ボタンを押すことによってタイム・アレンジメントの時間と日付を設定するステップｄと、
確認後に、中央処理装置がセレクト・アイテム・スイッチの設定にしたがってレコーディング・データをメモリに書き込み、またはメモリよりレコーディング・データを読み取り、通知信号の後で再生することに出力するステップｅと、を有することを特徴とする、
レコーディング・ペンにタイム・カウント音声通知機能を付与する方法。
【請求項２】
前記ステップｃにおいてのタイム・カウンターを設定することについて、ユーザーがタイム設定ボタンを押す回数にしたがってタイム・カウンターのタイミングを一分間や三分間や十分間や二十分間や三十分間などのタイム・セクションを置くように設定することを特徴とする、請求項１に記載のレコーディング・ペンにタイム・カウント音声通知機能を付与する方法。
【請求項３】
前記ステップｅにおいての通知信号として中央処理装置より音声装置に注意メッセージの音声を出させるように指揮する手段を採用することを特徴とする、請求項１に記載のレコーディング・ペンにタイム・カウント音声通知機能を付与する方法。
【請求項４】
前記ステップｅにおいての通知信号として中央処理装置よりバイブレータに振動させるように指揮する手段を採用することを特徴とする、請求項１に記載のレコーディング・ペンにタイム・カウント音声通知機能を付与する方法。
【請求項５】
前記ステップｅにおいての通知信号として中央処理装置より表示装置にヒントの表示を実行させるように指揮する手段を採用することを特徴とする、請求項１に記載のレコーディング・ペンにタイム・カウント音声通知機能を付与する方法。
【請求項６】
レコーディング・ペンの全体のタイム・アレンジメントを管理・および制御し、且つスイッチ・モジュールに設定しておいた予定行動と事件を読み取ることによって周辺モジュールに対し作動をすると共に、信号情報を処理および伝送し、または、表示モジュールを介してレコーディング・ペンの全体のタイム・アレンジメントの一部の予定行動または事件を表示し、または、発声振動モジュールによってその自体の指定する音声様子情報を再生し、また、タイム・コントロール・サーキットによって前記予定行動計画時間と目前の時間とが相同であるかのことを比較するように、それぞれの機能が設定される、中央処理装置と、
出力端が前記中央処理装置に接続され、また、予めソフト・プログラムがビルド・インされたロムを具備し、且つその予めビルド・インされたソフト・プログラムを利用して、前記中央処理装置によって全体のタイム・アレンジメントのレコーディングや再生や警告や音声による通知などの機能を実行するように設計されるスイッチ・モジュールと、
前記中央処理装置より電圧を印加される場合に、その情報を変更されることを許容し、且つ前記中央処理装置の指揮を受け取って、情報を自体内に書き込むか、前記中央処理装置に自体内より情報を読み出させるように許容する機能を有するように設定される、メモリ・モジュールと、
レコーディング・ペンの外界の音声情報を受け取り、且つ音声情報をデジタル信号に転換してから中央処理装置に入力する、レコーディング・モジュールと、
前記中央処理装置の指揮を受け取って中央処理装置より入力するデジタル信号を音波に転換してから外界へ放送する、発声振動モジュールと、
前記中央処理装置の指揮を受け取ってＬＣＤやＬＥＤなどに前記中央処理装置より入力されるデジタル信号を表示する、表示モジュールと、
ハードウェアからなり、前記中央処理装置にレコーディングを実行させるように作用し、且つレコーディングした音声をデジタル化情報に転換してから、その情報をラムに記憶するように設定される、レコーディング・サーキットと、からなることを特徴とする、
音声通知機能付きレコーディング・ペン。
【請求項７】
前記レコーディング・ペンがＵＳＢ送受信ポートまたは赤外線送受信インターフェースなどの手段を介してパーソナル・コンピュータと接続し、情報を送受信可能に構成することを特徴とする、請求項６に記載の音声通知機能付きレコーディング・ペン。
【発明の詳細な説明】
【技術分野】
【０００１】
本発明は、レコーディング・ペンにタイム・カウント音声通知機能を付与する方法および音声通知機能付きレコーディング・ペンの発明に係わり、特に、タイム・カウンターを有する、音声通知機能を備える、デジタル・音声レコーディング技術に関するものである。
【背景技術】
【０００２】
デジタル・レコーディング・ペンなどの製品の最も優れた特色は、不揮発性メモリ手段を採用し、デジタルの方式によって音声信号をマネージングすることであり、それによって過去のアナログ式のレコーディング・テープ式のメディアの機能とアクセス方法を取り替えることにより、デジタル・レコーディング・ペンなどの手段はわれわれの現実の生活において次々とさらに便利化を進めている。また、時代の進歩にしたがって、デジタル・レコーディング・ペンの製品が、ますます改善されより多機能化される傾向にある。
【発明の開示】
【発明が解決しようとする課題】
【０００３】
しかしながら、従来のデジタル・レコーディング・ペンの製品には、下記のような課題を有する。
（１）記憶する音声情報が決まったタイプに限られ、変化性を欠如しており、ユーザーに複数の選択性を提供できず、且つ自分で記号をつけることによって音声情報をレコーディングすることもできない。
（２）単に、簡素的な音声レコーディングと再生の機能を提供するのみで、その機能性が任意に切り替えられず、使用の効率性がかなり劣っている。
【０００４】
そのため、従来のレコーディング装置は依然として多くの課題を有し、良好な設計ではないため、本発明の発明者は、前記のそれぞれの課題に鑑みて、その他年間当該事業に従事してきた経験に基づいて研究開発を進めた結果、本発明の音声通知機能を有するレコーディング・ペン装置とそのレコーディング方法の発明を開発した。
【０００５】
本発明は、複数のタイム・カウンティング段階と複数のレコーディングおよび再生の段階を有する、音声通知機能付きレコーディング・ペンを提供することをその主要な解決しようとする課題とする。
【０００６】
また、本発明は、タイム・カウンター（タイマー）を有し、タイムのカウンティング後に、複数種の告知または自動作業を提供するもので、例えば、光のフラッシュのことや、ブザーを鳴らすことや、リニア走行式の文字のヒントを出すことや、自動的に音声をレコーディングまたは再生する機能などの複数の機能性を有する、音声通知機能付きレコーディング・ペンを提供することをその第二の解決しようとする課題とする。
【０００７】
また、本発明は、ユーザーが自己の意思にしたがって設定ボタンを複数回押すことによって、タイム・カウンターの時間をプログラム化し、例えば、１分間や３分間や１０分間や２０分間や３０分間などの時間間隔を設定して所定の時間を置いて複数回ユーザーに対し音声による通知を実行する機能を有するレコーディング・ペンを提供することをその第三の解決しようとする課題とする。
【０００８】
また、本発明は、前記身につけることができるレコーディング・ペンに応用され、または他のレコーディング機能や再生機能を有するそれぞれのタイプの装置に利用される、音声による通知や他の仕事を実行できる方法を提供することをその第四の解決しようとする課題とする。
【課題を解決するための手段】
【０００９】
前記した課題を解決するため、レコーディング・ペンにタイム・カウント音声通知機能を付与する方法に係る発明は、レコーディング・ペンを起動させてから、ユーザーがセレクト・アイテム・ボタンを押すことによってセレクト・アイテム・スイッチを設定するステップａと、ユーザーがセレクト・アイテム・ボタンを押すことによってタイム・カウントした後にレコーディングまたは再生を実行する機能を選択し、または所定の時間の経過後にレコーディングまたは再生する機能を選択し、それからステップｄにスキップする、ステップｂと、ユーザーがタイム設定ボタンを押すことによってタイム・カウンターを設定するステップｃと、ユーザーがタイム設定ボタンを押すことによってタイム・アレンジメントの時間と日付を設定するステップｄと、確認後に、中央処理装置がセレクト・アイテム・スイッチの設定にしたがってレコーディング・データをメモリに書き込み、またはメモリよりレコーディング・データを読み取り、通知信号の後で再生することに出力するステップｅと、を有することを特徴とするものである。
さらに本発明は前記したレコーディング・ペンにタイム・カウント音声通知機能を付与する方法において、前記ステップｃにおいてのタイム・カウンターを設定することについて、ユーザーがタイム設定ボタンを押す回数にしたがってタイム・カウンターのタイミングを一分間や三分間や十分間や二十分間や三十分間などのタイム・セクションを置くように設定することを特徴とするものである。
さらに本発明は前記したレコーディング・ペンにタイム・カウント音声通知機能を付与する方法において、前記ステップｅにおいての通知信号として中央処理装置より音声装置に注意メッセージの音声を出させるように指揮する手段を採用することを特徴とするものである。
さらに本発明は前記したレコーディング・ペンにタイム・カウント音声通知機能を付与する方法において、前記ステップｅにおいての通知信号として中央処理装置よりバイブレータに振動させるように指揮する手段を採用することを特徴とするものである。
さらに本発明は前記したレコーディング・ペンにタイム・カウント音声通知機能を付与する方法において、前記ステップｅにおいての通知信号として中央処理装置より表示装置にヒントの表示を実行させるように指揮する手段を採用することを特徴とするものである。
さらに音声通知機能付きレコーディング・ペンに係る発明は、レコーディング・ペンの全体のタイム・アレンジメントを管理・および制御し、且つスイッチ・モジュールに設定しておいた予定行動と事件を読み取ることによって周辺モジュールに対し作動をすると共に、信号情報を処理および伝送し、または、表示モジュールを介してレコーディング・ペンの全体のタイム・アレンジメントの一部の予定行動または事件を表示し、または、発声振動モジュールによってその自体の指定する音声様子情報を再生し、また、タイム・コントロール・サーキットによって前記予定行動計画時間と目前の時間とが相同であるかのことを比較するように、それぞれの機能が設定される、中央処理装置と、出力端が前記中央処理装置に接続され、また、予めソフト・プログラムがビルド・インされたロムを具備し、且つその予めビルド・インされたソフト・プログラムを利用して、前記中央処理装置によって全体のタイム・アレンジメントのレコーディングや再生や警告や音声による通知などの機能を実行するように設計されるスイッチ・モジュールと、前記中央処理装置より電圧を印加される場合に、その情報を変更されることを許容し、且つ前記中央処理装置の指揮を受け取って、情報を自体内に書き込むか、前記中央処理装置に自体内より情報を読み出させるように許容する機能を有するように設定される、メモリ・モジュールと、レコーディング・ペンの外界の音声情報を受け取り、且つ音声情報をデジタル信号に転換してから中央処理装置に入力する、レコーディング・モジュールと、前記中央処理装置の指揮を受け取って中央処理装置より入力するデジタル信号を音波に転換してから外界へ放送する、発声振動モジュールと、前記中央処理装置の指揮を受け取ってＬＣＤやＬＥＤなどに前記中央処理装置より入力されるデジタル信号を表示する、表示モジュールと、ハードウェアからなり、前記中央処理装置にレコーディングを実行させるように作用し、且つレコーディングした音声をデジタル化情報に転換してから、その情報をラムに記憶するように設定される、レコーディング・サーキットと、からなることを特徴とするものである。
さらに本発明は前記した音声通知機能付きレコーディング・ペンにおいて、前記レコーディング・ペンがＵＳＢ送受信ポートまたは赤外線送受信インターフェースなどの手段を介してパーソナル・コンピュータと接続し、情報を送受信可能に構成することを特徴とするものである。
【００１０】
本発明による音声通知機能付きレコーディング・ペンは、中央処理装置と、スイッチ・モジュールと、レコーディング・モジュールと、発声振動モジュールと、表示モジュールと、メモリ・モジュールとを有しており、その中の、前記レコーディング・モジュールによって外界の音声情報を収集し、且つ情報を中央処理装置へ入力して管理および制御をする。また、前記スイッチ・モジュールに予め設定されるスケジュールとイベントを読み取ることによって、中央処理装置により回りのモジュールに作業させるように指揮し、且つ信号情報を処理および送受信し、且つレコーディング・ペンの全体のタイム・アレンジメントをマネージングし、また、表示モジュールによってレコーディング・ペンの全体のタイム・アレンジメントの一部のスケジュールまたはイベントを表示し、また、発声振動モジュールによって前記中央処理装置の指定する音声情報を再生する。
【発明の効果】
【００１１】
本発明は少なくともつぎの何れかひとつの効果を得ることができる。
（１）本発明は、複数のタイム・カウンティング段階と複数のレコーディングおよび再生の段階を有する、音声通知機能付きレコーディング・ペンを提供することができる。
（２）本発明は、タイム・カウンター（タイマー）を有し、タイムのカウンティング後に、複数種の告知または自動作業を提供でき、例えば、光のフラッシュのことや、ブザーを鳴らすことや、リニア走行式の文字のヒントの出すことや、自動的に音声をレコーディングまたは再生する機能などの複数の機能性を有する、音声通知機能付きレコーディング・ペンを提供することができる。
（３）本発明は、ユーザーが自己の意思にしたがって設定ボタンを複数回おすことによって、タイム・カウンターの時間をプログラム化し、例えば、１分間や３分間や１０分間や２０分間や３０分間などの時間間隔を設定して所定の時間を置いて複数回ユーザーに対し音声による通知を実行する機能を有するレコーディング・ペンを提供することができる。
（４）本発明は、身につけることができるレコーディング・ペンに応用され、または他のレコーディング機能や再生機能を有するそれぞれのタイプの装置に利用される、音声による通知や他の仕事を実行できる方法を提供することができる。
（５）本発明は、自分でメモ言葉をレコーディングできる機能を提供でき、カレンダー・クロックを合せて使用すると、従来の所定の放送メモ言葉しかなく、且つ限度ありのレコーディング・セクション数の従来のレコーディング・ペンより、好むメモ言葉をレコーディングできるほか、好みにしたがって放送時間や放送タイミングを自分で設定できるので、格段に好ましくなっている。ユーザーがスケジュール・イベントに合せて、例えば薬を飲む時間に自動的に通知を出すことができる。
（６）本発明のタイム・カウンターは、そのカウンティング後に、複数のタイプの警告または自動的放送／レコーディングの仕事の機能を提供できる。
（７）本発明は、ユーザーがタイム設定ボタンの押す回数にしたがってそのタイム・カウンターの時間の長さをそれぞれ異なる長さに設定でき、ユーザーが柔軟的に設定して使用できる。
（８）本発明は、複数のタイプと複数回のイベントの時間設定機能を提供でき、スケジュールに対する各種の設定のニーズに好適に対応でき、且つ入力の際、文字符号を操作する必要はなく、直接言葉によってメモをすることができ、設定した時間になると自動的にそのメモ言葉を放送できる。
【発明を実施するための最良の形態】
【００１２】
本発明の構成とその作業状況とその特徴とをさらに詳しく開示するために、以下に本発明の最も優れる実施の形態を詳細的で具体的に説明する。
【００１３】
図１に示すのは、本発明による音声通知機能付きレコーディング・ペンの概略的な構成を示すブロック図である。本発明に係るレコーディング・ペンは、中央処理装置３と、スイッチ・モジュール１と、レコーディング・モジュール２と、発声振動モジュール６と、表示モジュール５と、メモリ・モジュール４とを有している。
【００１４】
前記中央処理装置３は、つまりセントラル・プロセシング・ユニット（ＣＰＵ）であり、その中央処理装置３は、レコーディング・ペンの全体のタイム・アレンジメントを管理、制御するものであり、且つスイッチ・モジュール１によって予め設定されるスケジュールとイベントを読み取ることによって、周辺モジュールに作業させるように指揮し、且つ信号情報の処理と送受信を実行し、また、前記表示モジュール５によってレコーディング・ペンの全体のタイム・アレンジメントの一部のスケジュールまたはイベントを表示する。また、発声振動モジュール６によって中央処理装置３の指定する音声情報を再生するようにしてもよい。
【００１５】
また、前記スイッチ・モジュール１は、その出力端が前記中央処理装置３に接続され、且つそのスイッチ・モジュール１には、予めソフトウェアを記憶しておくロム（ＲＯＭ，Ｒｅａｄ  Ｏｎｌｙ  Ｍｅｍｏｒｙ）を有し、且つ前記の予め記憶しておいたソフトウェアによって全体のタイム・アレンジメントのレコーディングと再生と警告と、音声による通知の機能などの関連条件の設定を実行し、且つ中央処理装置３にマネージングさせるように依頼する。
【００１６】
また、前記レコーディング・モジュール２には、主に、マイクロホンと信号サーキットを有し、当該レコーディング・モジュール２が外界の音声情報を収集し、且つ音声情報をデジタル信号に転換し、それから前記の中央処理装置３に入力する。
【００１７】
また、前記発声振動モジュール６には、主にスピーカとバイブレータを有し、前記スピーカが中央処理装置３の指揮を受け、中央処理装置３の入力してくるデジタル信号を音波に転換してから、外界へ再生放送し、また、前記バイブレータが信号を受信して外界へ所定の周波数の振動を生成する。
【００１８】
また、前記表示モジュール５には、主に、ＬＣＤパネルとＬＥＤ表示灯を有し、且つ前記中央処理装置３から送信してきた信号を受信し、情報をパネルに表示し、または表示灯を点灯する。
【００１９】
また、前記メモリ・モジュール４は、主に電圧消去可能プログラマブル・ロム（ＥＥＰＲＯＭ，Ｅｌｅｃｔｒｉｃａｌｌｙ  Ｅｒａｓａｂｌｅ  ＆Ｐｒｏｇｒａｍｍａｂｌｅ  ＲＯＭ）からなる。当該メモリ・モジュール４が中央処理装置３の電圧の印加のことを受けることによってその記憶した情報を変更するものである。当該メモリ・モジュール４が中央処理装置３の指揮を受け、情報を書き込む。または、中央処理装置３に、そのメモリ・モジュール４に記憶される情報を読み取らせるように指揮権利を交付する。
【００２０】
ユーザーが設定ボタンを押すことによって、スイッチ・モジュールを介してそれぞれのニーズのレコーディングおよび再生の条件を満足するようにし、レコーディング・モジュール２によって、ユーザーのレコーディングするつもりの音声情報をレコーディングすると共に、デジタル信号に転換し、且つ中央処理装置３に入力する。中央処理装置３がそれらのデジタル信号を段落順にしたがってメモリ・モジュール４に記憶し、またはスイッチ・モジュール１における設定にしたがって、メモリ・モジュール４より信号を読み取り、且つ発声振動モジュール６に送信し、それらのデジタル信号を音波信号に転換してから外部へ再生放送する。
【００２１】
図２に示すのは、本発明の音声通知機能付きレコーディング・ペンの第一の形態を示すフローチャートである。当該フローチャートに示すように、ユーザーが設定ボタンを押すことによって個人のニーズを満足するレコーディングまたは再生用の条件を設定する。電源スイッチがスイッチオンされる場合に、本発明は起動待機状態に設定され、ユーザーが選択肢スイッチを操作することによってそれぞれ異なるモードの選択肢の設定を実行し、且つタイム・カウンティング後に放送を実行するモードに切り替えられ、且つ選択肢スイッチが押されたか否かを判別する。押されたと判断した場合、次の選択肢モードに切り替えられてタイム・カウンティング後にレコーディングをするモードに設定されるようになる。もし選択肢スイッチが押されない場合、タイム設定スイッチを押すことによってタイム・カウンター設定機能を選択することができるようになる（この部分について図３を説明する時にさらに続ける）。そうすると、ユーザーが選択肢スイッチを押すことによって次の選択肢モードに切り換えてカレンダー・クロック再生モードを設定できるようになる。もし、ユーザーが続けて選択肢スイッチを押さない場合、タイム設定スイッチを押すことを選択することによって日付と時間を設定できるようになる（この部分について図４を説明する際にさらに続ける）。もし、続けて選択肢スイッチを押した場合、次の選択肢モードに切り替えられてカレンダー・クロックの音声レコーディング・モードに入る。もし、ユーザーが選択肢スイッチを押し続けない場合、タイム・カウンター・スイッチを押すことを選択することによって日付と時間を設定できるようになる（この部分について、図４を説明する際にさらに続ける）。もし、再度に選択肢スイッチを押す場合、始発（初期）状態に復帰するようになる。
【００２２】
図３は、本発明による音声通知機能付きレコーディング・ペンの第二の形態を示すフローチャートである。このフローは前記図２のフローを続けるものである。タイム・カウンティング後に放送モードまたはレコーディング・モードに進入する場合のことであり、ユーザーがタイム設定スイッチを押すことによってタイム・カウンターを設定する場合に、本発明によると、ユーザーのタイム設定ボタンを押す回数にしたがってタイム・カウンターの時間の長さを設定できる。例えば、１分間や３分間や１０分間や２０分間や３０分間などの五種類の時間の長さの選択肢を有するようにユーザーの設定選択に供し、ユーザーが毎度にタイム設定スイッチを押すと、タイム・カウンターのタイム・カウンティング仕様を次の一個の仕様へ切り替えられ、ユーザーがタイム・カウンティングの仕様を選択し終わった場合、レコーディング・スイッチを押すことによってレコーディングをスターティングでき、且つそれらのメモ用の言葉をＥＥＰＲＯＭに記憶することができる。それから、レコーディング・スイッチを押すと、タイム・カウンターがカウント・ダウンをスターティングし、ゼロまでカウントすると、出力モジュールが設定にしたがってメモ言葉を放送し、または表示灯を点灯し、または振動を生成することなどの手段によってユーザーに通知やヒントなどを出す。また、レコーディング・スイッチの変わりに、放送スイッチを押す場合、タイム・カウンターがカウント・ダウンをスターティングし、ゼロになると、レコーディングを開始する。レコーディングを終わらせようとする場合は、再び前記レコーディング・スイッチを押すと、それを終了できる。
【００２３】
図４は、本発明の音声通知機能付きレコーディング・ペンの第三の形態のフローチャートである。このフローは前記図３のフローを続けるものである。本発明は、主に、リニア走行式の文字によってヒントを出すものである。タイム設定スイッチを押すことによってタイムを設定する場合、表示モジュールのＬＣＤパネルには、リニア走行式の月と日付と時間と分間などの数字の表示の選択肢を順次表示するようになり、ユーザーがレコーディング・スイッチと放送スイッチを押すことによってその数字を増減変更して設定できる。また、タイム設定スイッチを押すことによって決めた時間を確認して設定できる。予定時間を設定し終えると、すべての設定した選択情報が前記ＬＣＤパネルに表示されるようになる。レコーディング・スイッチを押す場合、レコーディングを始めることができるようになり、且つレコーディング・スイッチを押すことによってその作業を終わらせることができ、そのころから、設定される日付と時間が既に至るかのことを確認し、もし、設定した時間に至らない場合、タイム・カウンティングを続ける。もし設定したタイミングになった場合、出力モジュールが設定にしたがって通知音声メモリを放送し、または点灯することや振動することなどによってユーザーに通知を出す。また、放送スイッチを押す場合、設定した日付とタイムをチェックし始める。もし、設定した値になっていない場合はそのカウンティングを続け、もし既に設定した値になった場合は、レコーディングをスタートし、且つ前記のＥＥＰＲＯＭにレコーディングする。また、さらにレコーディング・スイッチを押すと、そのレコーディング作業を中止させることができる。
【００２４】
本発明は、そのタイム・カウント後に、複数のタイプの通知や自動的レコーディングなどの機能を提供できる（図５参照）。中央処理装置が音声情報を繰り出そうとする場合、ブザーを介して「ジー・ジー」というような告知音声を出すことができ、且つそのＬＣＤまたはＬＥＤのパネルに二秒間フラッシュをし、もし、自動放送が設定されていた場合は、その設定にしたがって自動的に予めレコーディングされる音声による告知メモを放送する。
【図面の簡単な説明】
【００２５】
【図１】本発明の構成を示すブロック図である。
【図２】本発明の操作フローの第一の形態を示す説明図である。
【図３】本発明の操作フローの第二の形態を示す説明図である。
【図４】本発明の操作フローの第三の形態を示す説明図である。
【図５】本発明の複数タイプの通知メモを出す様子を示す説明図である。
【符号の説明】
【００２６】
１      スイッチ・モジュール
２      レコーディング・モジュール
３      中央処理装置
４      メモリ・モジュール
５      表示モジュール
６      発声振動モジュール
【図１】
2005331528.tif 000003
【図２】
2005331528.tif 000004
【図３】
2005331528.tif 000005
【図４】
2005331528.tif 000006
【図５】
2005331528.tif 000007